(57)【要約】【課題】  ペットの排泄する場所を人間が排泄する空間であるトイレ室で兼用して居住空間内の美観を損なうことがなく、しかも、ペットが排便する際に、いちいち人が同行して設置したり、人が用便をする際に、設置したペット用の便器トレイを除去して使用する必要が生じないトイレ装置を提供することにある。【解決手段】  同一の床パン１ａ上に人用の便器本体３ａとペット用の便器本体３ｂが固定設置されている。また、人用の便器本体３ａとペット用の便器本体３ｂとは、共通の排水管６にて接続されているものである。さらに、ペット用の便器本体３ｂは、ペット用の便座７ｂを有するものであって、便蓋２ｂが開蓋状態のときにペット用の便座７ｂ上に載置される物体の重量を計測する重量検知手段を有し、この制御手段は、重量検知手段で計測された値が予め定められた一定以上の重量である場合に、便蓋が閉じないように設定されている。【選択図】  図２
2005336811.tif 000002
【特許請求の範囲】
【請求項１】
同一の床パン上に人用の便器とペット用の便器が固定設置されていることを特徴とするトイレ装置。
【請求項２】
前記人用の便器とペット用の便器とは同一の床パン上に別々に設置され、共通の排水管に接続されているものであることを特徴とする請求項１記載のトイレ装置。
【請求項３】
前記人用の便器とペット用の便器とは便器本体を共用するものであることを特徴とする請求項１に記載のトイレ装置。
【請求項４】
床パン上に設けた便器本体に上から順に便蓋、ペット用の便座、人用の便座が開閉自在に取付けられるものであって、ペットが便器本体に近づいてきたことを検知するためのペット検知手段と、前記ペット検知手段によるペットの検知信号により便蓋が開くように便蓋の開閉動作を制御する制御手段と、を備えたものであることを特徴とする請求項３に記載のトイレ装置。
【請求項５】
前記ペット用の便器は、ペット用の便座を有するものであって、便蓋が開蓋状態のときに前記ペット用の便座上に載置される物体の重量を計測する重量検知手段を有し、前記制御手段は、前記重量検知手段で計測された値が予め定められた一定以上の重量である場合に、便蓋が閉じないように設定されているものであることを特徴とする請求項１乃至４のいずれかに記載のトイレ装置。
【発明の詳細な説明】
【技術分野】
【０００１】
本発明は、人用とペット用のトイレ装置に関するものである。
【背景技術】
【０００２】
同一のトイレ空間に人及びペットが使用できる便器を有するトイレ装置の従来技術としては、便器トレイ上にねこ砂を敷いて置き、その上でペットが排便した後、ペダルを踏み込むことにより普段閉状態である便器トレイを内側下方へ傾斜させて開状態にし、人用の便器内に排便及びねこ砂を落下させ、水を流して排便及びねこ砂を排水口へ流すものが知られている。
【０００３】
このようなトイレ装置では、従来の砂箱上の場合と同様な形式でペットが排便することができ、排便の容易性を維持することができるものの、このようなペット用トイレは、人用トイレ上に便器トレイ２を取り付けるものであるので、ペットが排便する際には、人が同行して設置したり、人が用便をする際に、便器トレイ２を除いて使用しなければならず、作業が煩雑となる。また、このようなペット用のトイレ装置を、例えば、廊下、洗面室、勝手土間等に別途設置すると、別途排水口や配水管を設ける必要があり、そのための設置工事が必要となって、設置のための時間やコストがかかってしまう上に、これらのスペースに臭気が発生したり、また、視覚的にも排泄物が見えることで住居空間内の美観を著しく損なうという問題があった（特許文献１）。
【特許文献１】特開２０００−１８８９８８号公報
【発明の開示】
【発明が解決しようとする課題】
【０００４】
本発明は、このような点に鑑みてなされたものであり、その目的とするところは、ペットの排泄する場所を人間が排泄する空間であるトイレ室で兼用して居住空間内の美観を損なうことがなく、しかも、ペットが排便する際に、いちいち人が同行して設置したり、人が用便をする際に、設置したペット用の便器トレイを除去して使用する必要が生じないトイレ装置を提供することを課題とするものである。
【課題を解決するための手段】
【０００５】
上記した課題を解決するために、本発明の請求項１に係るトイレ装置は、同一の床パン上に人用の便器とペット用の便器が固定設置されていることを特徴とする。
【０００６】
本発明の請求項２に係るトイレ装置は、前記人用の便器とペット用の便器とは同一の床パン上に別々に設置され、共通の排水管に接続されているものであることを特徴とする。
【０００７】
本発明の請求項３に係るトイレ装置は、前記人用の便器とペット用の便器とは便器本体を共用するものであることを特徴とする。
【０００８】
本発明の請求項４に係るトイレ装置は、床パン上に設けた便器本体に上から順に便蓋、ペット用の便座、人用の便座が開閉自在に取付けられるものであって、ペットが便器本体に近づいてきたことを検知するためのペット検知手段と、前記ペット検知手段によるペットの検知信号により便蓋が開くように便蓋の開閉動作を制御する制御手段と、を備えたものであることを特徴とする。
【０００９】
本発明の請求項５に係るトイレ装置は、前記ペット用の便器は、ペット用の便座を有するものであって、便蓋が開蓋状態のときに前記ペット用の便座上に載置される物体の重量を計測する重量検知手段を有し、前記制御手段は、前記重量検知手段で計測された値が予め定められた一定以上の重量である場合に、便蓋が閉じないように設定されているものであることを特徴とする。
【発明の効果】
【００１０】
本発明の請求項１に係るトイレ装置によると、同一の床パン上に人用の便器とペット用の排出スペースが固定設置されており、ペットの排泄する場所を人間が排泄する空間で兼用するので、居住空間内の美観を損なうことがなく、しかも、ペットが排便する際に、一々人が同行して設置したり、人が用便をする際に、設置したペット用の便器トレイを除去して使用する必要が生じない。
【００１１】
本発明の請求項２に係るトイレ装置によると、請求項１に記載の効果に加えて、人用の便器とペット用の便器とは同一の床パン上に別々に設置され、共通の排水管に接続されているものであるので、人の排泄物を水洗で流す排水管を利用して、ペットの排泄物も水洗で流すことができ、ペット用の便器専用の排水設備（下水道に接続するようなもの）を別途設置する必要がなくなる。
【００１２】
本発明の請求項３に係るトイレ装置によると、請求項１に記載の効果に加えて、前記人用の便器とペット用の便器とは便器本体を共用するものであるので、それぞれのより狭い設置スペースであっても施工が可能となるとともに、部品点数が削減されて施工がより容易になる。
【００１３】
本発明の請求項４に係るトイレ装置によると、請求項３に記載の効果に加えて、床パン上に設けた便器本体に上から順に便蓋、ペット用の便座、人用の便座が開閉自在に取付けられるものであって、ペットが便器本体に近づいてきたことを検知するためのペット検知手段と、前記ペット検知手段によるペットの検知信号により便蓋が開くように便蓋の開閉動作を制御する制御手段と、を備えたものであるので、共通の便器を、人が使用できる状態やペットが使用できる状態に切り替えることができ、その際、人が同行しなくても、ペットが間違わないようにペット用の便座を使用することができる。
【００１４】
本発明の請求項５に係るトイレ装置によると、請求項１乃至４のいずれかに記載の効果に加えて、前記ペット用の便器は、ペット用の便座を有するものであって、便蓋が開蓋状態のときに前記ペット用の便座上に載置される物体の重量を計測する重量検知手段を有し、前記制御手段は、前記重量検知手段で計測された値が予め定められた一定以上の重量である場合に、便蓋が閉じないように設定されているものであるので、ペットが使用中のときに誤って便蓋を閉めることが防止でき、また、ペットがペット用便座の上に誤って排泄したような場合に、便蓋を閉じることにより便蓋を排泄物で汚してしまうことを避けることができる。
【発明を実施するための最良の形態】
【００１５】
（実施形態１）
本発明の第１の実施形態を図１乃至図４に基づいて説明する。図１乃至図４において、１はトイレ室、１ａは床パン、２ａは人用の便蓋、２ｂはペット用の便蓋、３ａは人用の便器本体、３ｂはペット用の便器本体、４は人検知手段、５はペット検知手段、６は配水管、７ａは人用の便座、７ｂはペット用の便座、８は消臭手段、９ａは中央孔部、９ｂは中央孔部、１０ａは人用出入口、１０ｂはペット用出入口、１１ａは人用のドア、１１ｂはペット用のドア、１２は制御手段、１３は報知手段、１５ａ、１５ｂは駆動手段、１６ａはペット用便器の給水弁、１７は重量検知手段である。
【００１６】
図１は、本発明の第１の実施形態におけるトイレ装置及びトイレ装置が設置されるトイレ室の概略を示すものであり、（ａ）は上面図であり、（ｂ）はドア側から見た場合の正面図である。同図（ａ）に示すように、トイレ装置が設置されるトイレ室１には、人が出入りするための人用出入口１０ａに人用のドア１１ａが開閉自在に設けられ、また、同図（ｂ）に示すように、この人用のドア１１ａの下部に、ペットが出入りするためのペット用出入口１０ｂが設けられ、このペット用出入口１０ｂにはペット用のドア１１ｂが開閉自在に設けてられている。また、ペット用のドア１１ｂはトイレ室１内からペットが押しても、あるいはトイレ室１外からペットが押しても簡単に開いてペット用出入口１０ｂをペットが自由に通過できるような構成となっている。
【００１７】
本実施形態におけるトイレ装置は、トイレ室１内の同一の床パン１ａ上に別々に独立して設けられる、人用の便器本体３ａとペット用の便器本体３ｂとから構成される。この人用の便器本体３ａには人用の便座７ａ（図２参照）と、人用の便蓋２ａとが開閉自在に取付けてあり、また、ペット用の便器本体３ｂにはペット用の便座７ｂ（図２参照）と、ペット用の便蓋２ｂとが開閉自在に取付けてある。
【００１８】
図２は、本発明の第１の実施形態におけるトイレ装置の概略を示す斜視図であり、（ａ）は人用検知手段で人を検知した際に人用の便蓋を開いた状態であり、（ｂ）はペット用検知手段でペットを検知した際にペット用の便蓋を開いた状態である。同図（ａ）に示すように、独立して設けられた人用の便器本体３ａと、ペット用の便器本体３ｂとは、共通の排水管６に接続されている。このようにすることで、人の排泄物を水洗で流す排水管を利用して、ペットの排泄物も水洗で流すことができ、ペット用の便器専用の排水設備（下水道に接続するようなもの）を別途設置する必要がなくなる。
【００１９】
また、図示を省略しているが、人用の便器本体３ａと、ペット用の便器本体３ｂは共通の給水管に接続されて、それぞれ共通の給水管から供給するようにしてある。
【００２０】
図３は、本実施形態におけるトイレ装置の制御ブロック図である。同図に示すように、人用の便蓋２ａ、ペット用の便蓋２ｂはそれぞれ制御手段１２からの制御信号により駆動するモータよりなる駆動手段１５ａ、１５ｂにより電動で回動できるようになっている。人用の便座７ａは人が座って用を足すことができるようになっており、ペット用の便座７ｂはペットがペット用の便座７ｂに載った状態でペット用の便座７ｂに設けた中央孔部９ｂから排泄できるようになっており、したがって、ペット用の便座７ｂの中央孔部９ｂは人用の便座７ａの中央孔部９ａよりも小さいものである。
【００２１】
そして、本発明においては、人がトイレ室１内に入室したことを検知するための人検知手段４と、ペットがトイレ室１内に入室したことを検知するためのペット検知手段５とを設けてある。
【００２２】
人検知手段４としては、例えば、赤外線センサであり、床面からペットの背丈よりも十分に高い位置でトイレ室１内における人の有無を検知するようになっている。したがって、トイレ室１内にペットが入室しても人検知手段４を構成する赤外線センサでは検出されないようになっている。また、ペット検知手段５としては、例えは、ＩＣタグとリーダによりペット検知手段５を構成する。
【００２３】
本実施形態の場合、例えば、ペットの首輪にＩＣタグを取付け、ペット用のドア１１ｂを介してトイレ室１内及びトイレ室１外にそれぞれリーダを配置し、ペットがトイレ室１外からペット用のドア１１ｂを開けてトイレ室１内に入いる場合、ペットの首輪に取付けたＩＣタグの情報をまずトイレ室１外のリーダで読取り、次に、トイレ室１内のリーダで読み取ることで、ペットがトイレ室１内に入室したと判定し、また、ペットがトイレ室１内からペット用のドア１１ｂを開けてトイレ室１外に出た場合、ペットの首輪に取付けたＩＣタグの情報を上記入室時とは逆の順序でトイレ室１内、トイレ室１外のリーダで読取ることで、ペットがトイレ室１からトイレ室１外に退室したと判定するようになっている。
【００２４】
もちろんペット検知手段５としては、上記の例にのみ限定されず、ペット用のドア１１ｂにリミットスイッチを設けてペットの入退室を検知するもの、あるいは、赤外線を用いてペット用のドア１１ｂもしくはペット用出入口１０ｂの動線上にてペットの入退室を検知するもの、超音波を用いてペット動線上にて検知するもの等種々のものが考えられる。
【００２５】
人検知手段４で人のトイレ室１内への入室を検知すると、人検知手段４による人の検知信号が制御手段１２に送信され、制御手段１２から出力される制御信号により人用の便器本体３ａに設けた人用の便蓋２ａが自動的に開く。この場合、ペット用の便蓋２ｂは閉じたままの状態となっており、トイレ室１に入室した人の目にペット用の便座７ｂが見えず、トイレ室１内の美観を良くしている。このように人のトイレ室１内への入室の検知により人用の便蓋２ａが自動的に開くので、人はトイレ室１内で人用の便座７ａに座って用を足したり、あるいは男子の小用の場合には手動で人用の便座７ａを開いて起立させることで小用を足したりする。人用の便器本体３ａ内に洗浄水を供給して汚物を洗い流すには手動操作で洗浄水供給用のレバーやスイッチを操作するが、人用の便座７ａに着座スイッチを設け、着座スイッチがオンとなり、次にオフとなった時点で自動的に人用の便器本体３ａ内に洗浄水を供給するようにしてもよい。
【００２６】
また、人検知手段４によりトイレ室１内からの人の退出を検知する（つまり、赤外線センサによる人の検知無くなるとトイレ室１から人が退出したとみなす）と、制御手段１２から制御信号が出力され、人用の便蓋２ａが回動して自動的に閉じる。
【００２７】
一方、ペット検知手段５でペットのトイレ室１内の入室を検知すると、ペット検知手段５によるペットの検知信号が制御手段１２に送信され、制御手段１２から出力される制御信号によりペット用の便器本体３ｂに設けたペット用の便蓋２ｂが自動的に開く。この場合、人用の便蓋２ａは閉じたままの状態となっており、ペットが誤って人用の便器本体３ａ内に入り込んだり、あるいは人用の便器本体３ａ内に溜まっている洗浄水を飲んだりすることがないようにしてある。ペットはあらかじめ、排泄に当たっては、トイレ室１内に入り、ペット用の便座７ｂの上に載って、ペット用の便座７ｂの中央孔部９ｂからペット用の便器本体３ｂ内に排泄するように躾されており、上記のように、ペットのトイレ室１内への入室を検知してペット用の便蓋２ｂが開くことで露出したペット用の便座７ｂの上に載り、中央孔部９ｂから排泄する。排泄が終わるとペットはペット用出入口１０ｂから外に出ることでトイレ室１から退室するのであるが、ペットのトイレ室１内への入室確認の後に、ペットのトイレ室１からの退室をペット検知手段５で検知することで、制御手段１２からの制御信号によりペット用の便器本体３ｂの給水弁１６ｂを開く制御をしてペット用の便器本体３ｂ内に洗浄水を自動的に供給し、汚物を洗い流すと共に、ペット用の便蓋２ｂを回動して自動的に閉じるように制御される。
【００２８】
また、トイレ室１には換気扇のような消臭手段８が設けてある。そして、人検知手段４、ペット検知手段５により人やペットのトイレ室１内への入室を検出すると、消臭手段８をを運転してトイレ室１内の消臭を行い、人検知手段４、ペット検知手段５による人やペットのトイレ室１からの退室を検知した後、一定時間が経過した後に運転を停止するように制御するようになっている。また、人検知手段４、ペット検知手段５により人やペットのトイレ室１内への入室を検出し、次に、人検知手段４、ペット検知手段５による人やペットのトイレ室１からの退室を検知すると、消臭手段８を運転してトイレ室１内の消臭を行い、一定時間が経過した後に運転を停止するように制御するようにしてもよい。
【００２９】
ここで、ペット用の便座７ｂには、ペット用の便座上に載置される物体の重量を計測するとともに、重量の計測値を電気信号として送信できるように制御手段１２と電気的に接続される重量検知手段１７が設けられている。ペットのトイレ室１内への入室をペット検知手段５により検知した場合には、上述のようにペット用の便蓋２ｂは自動的に開にした状態となる。このような開蓋状態において、制御手段１２は、重量検知手段１７から入力される計測値が、制御手段１２の記憶部（図示せず）にて予め定められた一定値以上である間は、仮にペット検知手段５によりペットのトイレ室１からの退室を検知してもペット用の便蓋２ｂは閉じないように設定されている。このようにすることで、ペットが使用中のときに誤って便蓋２ｂを閉めることが防止でき、また、ペットがペット用便座７ｂの上に誤って排泄したような場合に、便蓋２ｂを閉じることにより便蓋２ｂを排泄物で汚してしまうことを避けることができる。このため、ペット検知手段５によりペットのトイレ室１からの退室を検知しても、重量検知手段１７でペット用の便蓋２ｂに排泄物のような異物が乗っていることを検知した場合には、ペット用の便蓋２ｂを開いたままにすると共に、音声、音、光等の報知手段１３によりペット用の便蓋２ｂに排泄物などの異物が載っていることを住宅内にいる人に知らせるようになっている。
【００３０】
なお、ペット用の便器本体３ｂの掃除などをするに当たっては、ペット用の便蓋２ａ、ペット用の便座７ｂを手動で開けてペット用の便器本体３ｂの掃除をしたり、あるいはペット用の便蓋２ａやペット用の便座７ｂの掃除をするものである。
【００３１】
なお、本実施形態においては、ペット用出入口１０ｂ及びペット用のドア１１ｂは人用のドア１１ａの下部に設けられるものであったが、これに限定されるものではなく、図４に示すように、人用出入口１０ａとペット用出入口１０ｂとをそれぞれ独立して別の位置に設け、人用出入口１０ａとペット用出入口１０ｂのそれぞれに人用のドア１１ａと、ペット用のドア１１ｂとを開閉自在に設けてあるものであってもよく、後述する第２の実施形態においても同様であるものとする。この場合も、ペット用のドア１１ｂはトイレ室１内からペットが押しても、あるいはトイレ室１外からペットが押しても簡単に開いてペット用出入口１０ｂをペットが自由に通過できるような構成となっている。
【００３２】
（実施形態２）
次に、本発明の第２の実施形態を図５乃至図７に基いて説明する。図５乃至図７において、１はトイレ室、１ａは床パン、２は便蓋、３は便器本体、４は人検知手段、５はペット検知手段、７ａは人用の便座、７ｂはペット用の便座、８は消臭手段、９ａは中央孔部、９ｂは中央孔部、１０ａは人用出入口、１０ｂはペット用出入口、１１ａは人用のドア、１１ｂはペット用のドア、１２は制御手段、１３は報知手段、１５はペット検知手段、１６は給水弁、１７は重量検知手段である。なお、トイレ室１の構成等で上述の第１の実施形態と共通するものについては、同一の番号を付して説明を省略する。
【００３３】
図５は、本実施形態におけるトイレ装置及びトイレ装置が設置されるトイレ室の概略を示す上面図であり、図６は、本実施形態におけるトイレ装置の概略を示す斜視図であり、（ａ）は便座及び弁蓋のいずれもが開いていない状態であり、（ｂ）は便蓋が開いた状態であり、（ｃ）は便蓋及びペット用の便座が開いた状態である。
【００３４】
図５に示すように、本実施形態におけるトイレ装置は、トイレ室１の床パン１ａ上に設けた一つの便器本体３を人用とペット用とに共用できるように構成される。したがって、便蓋２についても人用とペット用とに共用される。
【００３５】
図６（ａ）に示すように、トイレ室１内の床パン１ａ上に設置した便器本体３の上面部には、上から順に便蓋２、ペット用の便座７ｂ、人用の便座７ａが開閉自在に取付けてある。
【００３６】
人用の便座７ａは人が座って用を足すことができるようになっており、ペット用の便座７ｂはペットがペット用の便座７ｂに載った状態でペット用の便座７ｂに設けた中央孔部９ｂから排泄できるようになっており、したがって、ペット用の便座７ｂの中央孔部９ｂは人用の便座７ａの中央孔部９ａよりも小さいものである。
【００３７】
このように、本実施形態におけるトイレ装置は、人用の便器とペット用の便器とは便器本体３を共用するものであるので、それぞれのより狭い設置スペースであっても施工が可能となるとともに、部品点数が削減されて施工がより容易になる。
【００３８】
図７は、本実施形態におけるトイレ装置の制御ブロック図である。同図に示すように、便蓋２、ペット用の便座７ｂはそれぞれ制御手段１２からの制御信号により駆動するモータのような駆動手段１５により電動で回動できるようになっている。
【００３９】
本実施形態においても、前述の実施形態と同様に、トイレ室１に人が出入りするための人用出入口１０ａとペットが出入りするためのペット用出入口１０ｂとが設けてあり、また、前述の実施形態と同様に、人がトイレ室１内に入室したことを検知するための人検知手段４と、ペットがトイレ室１内に入室したことを検知するためのペット検知手段５とが設けてある。
【００４０】
本実施形態においては、人検知手段４で人のトイレ室１内への入室を検知すると、該人検知手段４による人の検知信号が制御手段１２に送信され、制御手段１２から出力される制御信号により図６（ｃ）のように、便器本体３に設けた便蓋２が自動的に開き、次に、ペット用の便座７ｂが自動的に開く。このように人のトイレ室１内への入室の検知により便蓋２、ペット用の便座７ｂが自動的に開くので、人はトイレ室１内で人用の便座７ａに座って用を足したり、あるいは男子の小用の場合には手動で人用の便座７ａを開いて起立させることで小用を足したりする。便器本体３内に洗浄水を供給して汚物を洗い流すには手動操作で洗浄水供給用のレバーやスイッチを操作して給水弁１６を開にして洗浄するが、人用の便座７ａに着座スイッチを設け、着座スイッチが人の荷重でオンとなり、次にオフとなった時点で自動的に給水弁１６から便器本体３内に洗浄水を供給するようにしてもよい。
【００４１】
また、人検知手段４によりトイレ室１内からの人の退出を検知すると、制御手段１２から制御信号が出力され、ペット用の便座７ｂが回動して自動的に閉じ、続いて便蓋２が回動して自動的に閉じて図６（ａ）のようになる。
【００４２】
一方、ペット検知手段５でペットのトイレ室１内の入室を検知すると、該ペット検知手段５によるペットの検知信号が制御手段１２に送信され、制御手段１２から出力される制御信号により便器本体３に設けた便蓋２が自動的に開くことで、図６（ｂ）のようにペット用の便座７ｂが露出する。ペットはあらかじめ、ペット用の便座７ｂの上に載って、ペット用の便座７ｂの中央孔部９ｂからペット用の便器本体３ｂ内に排泄するように躾されており、上記のように、ペットのトイレ室１内への入室を検知して便蓋２が開くことで露出したペット用の便座７ｂの上に載り、中央孔部９ｂから排泄する。排泄が終わるとペットはペット用出入口１０ｂから外に出ることでトイレ室１から退室するのであるが、ペットのトイレ室１内への入室確認の後に、ペットのトイレ室１からの退室をペット検知手段５で検知することで、制御手段１２からの制御信号により便器本体３の給水弁１６を開く制御をして便器本体３内に洗浄水を自動的に供給し、汚物を洗い流すと共に、便蓋２を回動して自動的に閉じるように制御される。
【００４３】
また、本実施形態においてもトイレ室１には消臭手段８が設けてあり、前述の実施形態と同様にして消臭手段８を運転制御して消臭するようになっている。
【００４４】
また、本実施形態においてもペット用の便座７ｂに重量検知手段１７を設け、ペット検知手段５によりペットのトイレ室１内への入室を検知して便蓋２を自動的に開にした状態で、上記重量検知手段１７によりペット用の便座７ｂ上に荷重があることを検知している間は仮にペット検知手段５によりペットのトイレ室１からの退室を検知してもペット用の便蓋２ｂは閉じないようになっていると共に、音声、音、光等の報知手段１３によりペット用の便蓋２ｂに排泄物などの異物が載っていることを住宅内にいる人に知らせるようになっている。
【００４５】
本実施形態においては、人検知手段４、ペット検知手段５によってトイレ室１内に入ったのが人であるか、ペットであるかをそれぞれ検知して、共通の便器本体３を、人が使用できる状態や、ペットが使用できる状態に切り替えることができるので、共通の便器本体３を使って人、ペットがそれぞれ用を足す（排泄する）ことができ、しかも、人とペットとが使用する便座を人、ペット双方とも間違わないようにできるものである。
【図面の簡単な説明】
【００４６】
【図１】本発明の第１の実施形態におけるトイレ装置及びトイレ装置が設置されるトイレ室の概略を示すものであり、（ａ）は上面図であり、（ｂ）はドア側から見た場合の正面図である。
【図２】本発明の第１の実施形態におけるトイレ装置の概略を示す斜視図であり、（ａ）は人用検知手段で人を検知した際に人用の便蓋を開いた状態であり、（ｂ）はペット用検知手段でペットを検知した際にペット用の便蓋を開いた状態である。
【図３】本発明の第１の実施形態におけるトイレ装置の制御ブロック図である。
【図４】人用出入口とペット用出入口とが別々の位置に設けられる場合のトイレ装置及びトイレ装置が設置されるトイレ室の概略を示す上面図である。
【図５】本発明の第２の実施形態におけるトイレ装置及びトイレ装置が設置されるトイレ室の概略を示す上面図である。
【図６】本発明の第２の実施形態におけるトイレ装置の概略を示す斜視図であり、（ａ）は便座及び弁蓋のいずれもが開いていない状態であり、（ｂ）は便蓋が開いた状態であり、（ｃ）は便蓋及びペット用の便座が開いた状態である。
【図７】本発明の第２の実施形態におけるトイレ装置の制御ブロック図である。
【００４７】
１ａ  床パン
２ｂ  便蓋
３ａ  人用の便器
３ｂ  ペット用の便器
６    配水管
７ｂ  ペット用の便座
【図１】
2005336811.tif 000003
【図２】
2005336811.tif 000004
【図３】
2005336811.tif 000005
【図４】
2005336811.tif 000006
【図５】
2005336811.tif 000007
【図６】
2005336811.tif 000008
【図７】
2005336811.tif 000009